(57)【特許請求の範囲】
【請求項１】
ラベル基材を有し、
このラベル基材に形成した折畳み線において折り畳み、この折畳み線の左右両側に位置する表面側の印字領域に印字可能とするとともに、この折畳み線の部分でこの左右両側の印字領域を開いて被貼付け体に貼り付け可能とする両面印字用ラベルであって、
前記ラベル基材の裏面側に磁気材料による位置検出用磁気マークを形成していることを特徴とする両面印字用ラベル。
【請求項２】
前記ラベル基材の裏面側に、粘着剤層および剥離剤層を交互に形成するとともに、
前記折畳み線において前記粘着剤層および前記剥離剤層を互いに対向するように折り畳み、前記左右両側の印字領域に印字可能とすることを特徴とする請求項１記載の両面印字用ラベル。
【請求項３】
前記折畳み線は、前記ラベル基材の中央部に位置していることを特徴とする請求項１または２記載の両面印字用ラベル。
【請求項４】
前記位置検出用磁気マークは、前記ラベル基材の長さ方向に沿ってこれを一定のピッチで形成していることを特徴とする請求項１ないし３のいずれかに記載の両面印字用ラベル。
【発明の詳細な説明】
【技術分野】
【０００１】
本発明は両面印字用ラベルにかかるもので、とくにラベル基材の両面に印字可能とする両面印字用ラベルに関するものである。
【背景技術】
【０００２】
従来からの両面印字用ラベルおよび両面印字プリンタについて、図６ないし図１０にもとづき概説する。
図６は、両面印字用ラベル１を一部開いた状態の斜視図であって、両面印字用ラベル１は、ラベル基材２を有し、ラベル基材２の長さ方向（両面印字プリンタ１１（図９）における移送方向）の中央部に位置して折畳み線３（仮想線）を形成している。
【０００３】
図７は、両面印字用ラベル１を折畳み線３の部分で左右に開いた状態の平面図、図８は、同、両面印字用ラベル１を折畳み線３の部分で左右に開いた状態の裏面図である。
ラベル基材２の裏面側には、粘着剤層４および剥離剤層５を交互に（図示の例では、両面印字用ラベル１の幅方向に沿って交互に縞状に）形成している。
さらにラベル基材２は、折畳み線３を中心にしてその左右両側に位置する表面側の印字領域（第１の印字領域６、第２の印字領域７）を有しており、第１の印字領域６および第２の印字領域７におけるそれぞれの粘着剤層４および剥離剤層５が互いに対向するように形成してあることにより、第１の印字領域６および第２の印字領域７を一時的に互いに仮着するように折り畳んだ状態で両面から印字可能としているとともに、折畳み線３を中心に第１の印字領域６および第２の印字領域７を開くことにより、任意の被貼付け体Ｍ（図１０）に貼り付けることができる。  粘着剤層４および剥離剤層５の塗布パターンは、それぞれが第２の印字領域６および第２の印字領域７において互いに対向するとともに、互いに交互に形成されていれば、両面印字用ラベル１の長さ方向に沿って縞状、あるいは市松模様状など任意である。
【０００４】
ラベル基材２の表面側（図示の例では、第１の印字領域６側）には、細長矩形状の位置検出用マーク８（一般的には黒色のベタ塗りのマーク）を両面印字用ラベル１の長さ方向において一定のピッチであらかじめ印刷して形成しているとともに、同ピッチで切断用ミシン目９を形成することにより、単葉のラベル片１０を形成可能としている。
【０００５】
図９は、両面印字用ラベル１に印字するための両面印字プリンタ１１（たとえばサーマルプリンタ）の概略側面図であって、両面印字プリンタ１１は、プリンタハウジング１２と、プリンタハウジング１２の上流側に設けた両面印字用ラベル１の供給部１３と、位置検出部１４と、第１の印字部１５および第２の印字部１６と、制御部１７と、を有する。
【０００６】
供給部１３は、両面印字用ラベル１をたとえばファンホールド式に収容して、プリンタハウジング１２の供給口１８からプリンタハウジング１２内に帯状に供給可能とする。
【０００７】
位置検出部１４は、両面印字用ラベル１の位置検出用マーク８を検出可能な、反射型あるいは透過型などの光学センサ１９を有している。
【０００８】
第１の印字部１５は、第１のサーマルヘッド２０および第１のプラテンローラ２１を有して、両面印字用ラベル１の表面側における第１の印字領域６に所定の情報を印字可能とする。
第２の印字部１６は、第２のサーマルヘッド２２および第２のプラテンローラ２３を有して、両面印字用ラベル１の表面側における第２の印字領域７に所定の情報を印字可能とする。
なお、第１の印字部１５および第２の印字部１６による印字方式としては、両面印字用ラベル１を感熱発色タイプのサーマル紙として印字することもできるし、熱転写インクリボン（図示せず）を用いて印字するように構成することもできる。
【０００９】
制御部１７は、上述の位置検出部１４、第１の印字部１５および第２の印字部１６を制御する。
【００１０】
なお、印字ののち、両面印字用ラベル１の切断用ミシン目９の部分で手により切断してラベル片１０を得ることもできるし、図９中、仮想線で示すような切断刃を有する切断部２４を設け、機械的に切断してラベル片１０を発行することも可能である。
【００１１】
プリンタハウジング１２には、排出口２５を形成し、印字済みの両面印字用ラベル１あるいはそのラベル片１０を発行排出可能としている。
【００１２】
こうした構成の両面印字用ラベル１および両面印字プリンタ１１において、とくに両面印字用ラベル１は、ピッチ検出のためにいずれかの第１の印字領域６および第２の印字領域７に位置検出用マーク８があらかじめ印刷されているため、事実上印字面積が少なくなるという問題がある。
すなわち、位置検出部１４の光学センサ１９により検出される位置検出用マーク８の部分には、ラベル片１０への名入り印刷（ラベル発行者や貼付け者などの名称の印刷）やその他の必要な情報あらかじめ印刷を行うことができないという問題、あるいは印刷できてもこの印刷部と位置検出用マーク８とが接近している場合には光学センサ１９がこれらを混同する、いわゆる誤検知の問題がある。
【００１３】
さらに図１０は、ラベル片１０を折畳み線３を中心に左右に広げて商品その他の被貼付け体Ｍに貼り付けた状態を示す平面図であって、貼り付けた表面側の領域（たとえば第１の印字領域６）に位置検出用マーク８が位置することになるので、見た目が悪く体裁上の問題がある。
【先行技術文献】
【特許文献】
【００１４】
【特許文献１】特開２０１０−０３２７１１号公報
【発明の概要】
【発明が解決しようとする課題】
【００１５】
本発明は以上のような諸問題にかんがみなされたもので、ラベル基材の表面側における印字面積を減少させることがない両面印字用ラベルおよび両面印字プリンタを提供することを課題とする。
【００１６】
また本発明は、ラベル基材の表面側における印字領域に位置検出用マークを印刷する必要がない両面印字用ラベルを提供することを課題とする。
【００１７】
また本発明は、名入りラベルなどにおける誤検知を防止可能な両面印字用ラベルを提供することを課題とする。
【００１８】
また本発明は、体裁上もすっきりして良好な両面印字用ラベルを提供することを課題とする。
【課題を解決するための手段】
【００１９】
すなわち本発明は、ラベル基材の表面側ではなく、その裏面側に磁性体材料ないしは磁気材料による位置検出用のマークを設けることに着目したもので、第一の発明は、ラベル基材を有し、このラベル基材に形成した折畳み線において折り畳み、この折畳み線の左右両側に位置する表面側の印字領域に印字可能とするとともに、この折畳み線の部分でこの左右両側の印字領域を開いて被貼付け体に貼り付け可能とする両面印字用ラベルであって、上記ラベル基材の裏面側に磁気材料による位置検出用磁気マークを形成していることを特徴とする両面印字用ラベルである。
【００２０】
ラベル基材を有し、このラベル基材に形成した折畳み線において折り畳み、この折畳み線の左右両側に位置する表面側の印字領域に印字可能とするとともに、この折畳み線の部分でこの左右両側の印字領域を開いて被貼付け体に貼り付け可能とする本発明の両面印字用ラベルの上記印字領域に印字するためには、上記ラベル基材の裏面側に形成している磁気材料による位置検出用磁気マークを検出可能な磁気センサを設けてある両面印字プリンタを用いる。
【００２１】
上記ラベル基材の裏面側に、粘着剤層および剥離剤層を交互に形成するとともに、上記折畳み線において上記粘着剤層および上記剥離剤層を互いに対向するように折り畳み、上記左右両側の印字領域に印字可能とすることができる。
【００２２】
上記折畳み線は、上記ラベル基材の中央部に位置していることができる。
【００２３】
上記位置検出用磁気マークは、上記ラベル基材の長さ方向に沿ってこれを一定のピッチで形成していることができる。
【００２４】
上記磁気材料としては、粉末状の酸化鉄などを含む磁性体、あるいは磁気塗料や磁性インクなど任意の磁性体からこれを選択することができる。
【発明の効果】
【００２５】
本発明による両面印字用ラベルは、磁気材料による位置検出用マークをラベル基材の裏面側に形成しているので、表面側には従来のような位置検出用マークが現出することがなく見た目は良好であるとともに、印字面積を減少させることなく、必要な情報量を印字可能である。
【００２６】
とくに本発明の両面印字用ラベルは、ラベル基材を折畳み線の部分で折り畳んだ内側（裏面側）に磁気材料による位置検出用磁気マークを形成したので、位置検出用のマークが表側に現出することなく、あらかじめ印刷した情報による誤検出や、体裁の悪さを解消し、かつ印字面積を減少させることがない。
【００２７】
両面印字用ラベルのラベル基材の裏面側に形成している磁気材料による位置検出用磁気マークを検出可能な磁気センサを設けた両面印字プリンタを用いることで、誤検出を回避しつつ、印字面積を減少させることがなくなる。
【図面の簡単な説明】
【００２８】
【図１】本発明の実施例による両面印字用ラベル３０を一部開いた状態の斜視図である。
【図２】同、両面印字用ラベル３０を折畳み線３の部分で左右に開いた状態の平面図である。
【図３】同、両面印字用ラベル３０を折畳み線３の部分で左右開いた状態の裏面図である。
【図４】本発明の両面印字用ラベル３０に印字するための両面印字プリンタ３１（たとえばサーマルプリンタ）の概略側面図である。
【図５】本発明の両面印字用ラベルに印字したラベル片３５を折畳み線３を中心に左右に広げて商品その他の被貼付け体Ｍに貼り付けた状態を示す平面図である。
【図６】従来の両面印字用ラベル１を一部開いた状態の斜視図である。
【図７】同、両面印字用ラベル１を折畳み線３の部分で左右に開いた状態の平面図である。
【図８】同、両面印字用ラベル１を折畳み線３の部分で左右に開いた状態の裏面図である。
【図９】同、両面印字用ラベル１に印字するための両面印字プリンタ１１（たとえばサーマルプリンタ）の概略側面図である。
【図１０】同、ラベル片１０を折畳み線３を中心に左右に広げて商品その他の被貼付け体Ｍに貼り付けた状態を示す平面図である。
【発明を実施するための形態】
【００２９】
本発明は、ラベル基材の裏面側に磁気材料による位置検出用磁気マークを形成したので、印字面積を減少させることなく、ピッチ検出にも支障がない両面印字用ラベルを実現した。
【実施例】
【００３０】
つぎに本発明の実施例による両面印字用ラベル３０と、印字に用いる両面印字プリンタ３１を図１ないし図５にもとづき説明する。ただし、図６ないし図１０と同様の部分には同一符号を付し、その詳述はこれを省略する。
図１は、両面印字用ラベル３０を一部開いた状態の斜視図であって、両面印字用ラベル３０は、従来の両面印字用ラベル１と同様に、ラベル基材２を有し、折畳み線３、粘着剤層４、剥離剤層５、第１の印字領域６および第２の印字領域７、切断用ミシン目９などについては、両面印字用ラベル１と同様の構成を有している。
【００３１】
図２は、両面印字用ラベル３０を折畳み線３の部分で左右に開いた状態の平面図、図３は、同、両面印字用ラベル３０を折畳み線３の部分で左右に開いた状態の裏面図であって、ラベル基材２の裏面側には位置検出用マークとして、磁気材料による位置検出用磁気マーク３２を一定のピッチで形成している。
位置検出用磁気マーク３２としては、一般的には茶色で粉末状の酸化鉄などの磁性体粉末を塗布するか、各種の磁気塗料や磁気インクなどを採用することができる。すなわち、磁気材料としては、任意の磁性体からこれを選択することができる。
【００３２】
図４は、両面印字用ラベル３０に印字するための両面印字プリンタ３１（たとえばサーマルプリンタ）の概略側面図であって、両面印字プリンタ３１は、従来の両面印字プリンタ１１と同様に、前記プリンタハウジング１２と、前記供給部１３と、前記位置検出部１４に相当する位置検出部３３と、前記第１の印字部１５および前記第２の印字部１６と、前記制御部１７と、を有する。もちろん、必要に応じて切断部２４を備えることができる。
【００３３】
とくに図３に示すように、位置検出部３３は、ラベル基材２の裏面側に一定のピッチで形成している磁気材料による位置検出用磁気マーク３２を検出可能な磁気センサ３４を設けている。
【００３４】
なお、切断用ミシン目９部分での切断により単葉のラベル片３５を得ることができる。
【００３５】
こうした構成の両面印字用ラベル３０および両面印字プリンタ３１において、位置検出部３３の部分を移送されてくる両面印字用ラベル３０は、そのラベル基材２を通して位置検出用磁気マーク３２の磁気を磁気センサ３４が検出し、第１の印字部１５および第２の印字部１６に対する両面印字用ラベル３０の位置を検出可能である。
【００３６】
図５は、ラベル片３５を折畳み線３を中心に左右に広げて商品その他の被貼付け体Ｍに貼り付けた状態を示す平面図であって、位置検出用磁気マーク３２はラベル基材２の裏面側に位置しているので、被貼付け体Ｍにラベル片３５を貼り付けたときに、その表面側には現出せず、体裁は良好である。
さらに、裏面側に形成している位置検出用磁気マーク３２の部分に位置する表面側や位置検出用磁気マーク３２の移送方向の線上にも、名入りその他任意の情報を印字可能であって印字面積を減少させることがないとともに、位置検出用磁気マーク３２との誤検出がない。
【符号の説明】
【００３７】
１ 両面印字用ラベル（従来、図６）
２ ラベル基材
３ 折畳み線
４ 粘着剤層
５ 剥離剤層
６ 第１の印字領域
７ 第２の印字領域
８ 位置検出用マーク
９ 切断用ミシン目
１０ 単葉のラベル片
１１ 両面印字プリンタ（サーマルプリンタ、図９）
１２ プリンタハウジング
１３ 供給部
１４ 位置検出部
１５ 第１の印字部
１６ 第２の印字部
１７ 制御部
１８ 供給口
１９ 光学センサ
２０ 第１のサーマルヘッド
２１ 第１のプラテンローラ
２２ 第２のサーマルヘッド
２３ 第２のプラテンローラ
２４ 切断部
２５ 排出口
３０ 両面印字用ラベル（実施例、図１）
３１ 両面印字プリンタ（実施例、図４）
３２ 磁気材料による位置検出用磁気マーク
３３ 位置検出部
３４ 磁気センサ
３５ ラベル片
Ｍ 被貼付け体（商品その他、図５、図１０）
【図１】
0005680448.tif 000002
【図２】
0005680448.tif 000003
【図３】
0005680448.tif 000004
【図４】
0005680448.tif 000005
【図５】
0005680448.tif 000006
【図６】
0005680448.tif 000007
【図７】
0005680448.tif 000008
【図８】
0005680448.tif 000009
【図９】
0005680448.tif 000010
【図１０】
0005680448.tif 000011